(57)【要約】【課題】本発明は、表示部が横長の手首装着型携帯端末を手首に装着して手を手の甲の側に曲げて、手の甲が手首装着型携帯端末の端末本体に当たっても、手の甲や手首を痛めたりする恐れを無くした手首装着型携帯端末を達成することにある。【解決手段】各種の情報を表示するための表示部３を有する端末本体２と、端末本体２を手首に装着可能にする手首装着部５と、端末本体２を手首装着部５の向きに付勢する弾性体６２と、で手首装着型携帯端末を構成している。【選択図】図５
2017216666.tif 000002
【特許請求の範囲】
【請求項１】
各種の情報を表示するための表示部を有する端末本体と、前記端末本体を手首に装着可能にする手首装着部と、前記端末本体を前記手首装着部の向きに付勢する弾性体と、を備えたことを特徴とする手首装着型携帯端末。
【請求項２】
前記弾性体は、前記端末本体の長手方向に設けられた接続部および前記手首装着部の短手方向に設けられた接続部に両端部が接続されていることを特徴とする請求項１に記載の手首装着型携帯端末。
【発明の詳細な説明】
【技術分野】
【０００１】  本発明は、携帯端末に関し、詳しくは手首に装着可能な手首装着型携帯端末に関する。
【背景技術】
【０００２】  従来の腕時計は、時計機能部が収納された時計ケース部と、この時計ケース部をスライド可能に保持するスライド基部と、前記時計ケース部およびスライド基部を腕に装着するリストバンド部と、前記時計ケース部のスライド方向に対して逆方向に復帰させる付勢手段から構成されている（例えば、特許文献１参照）。【０００３】  しかしながら、従来の腕時計の構成を、各種の情報を表示するための表示部が、時計ケース部より更に横長の手首装着型携帯端末に適用した場合、手を手の甲の側に曲げた場合に手の甲が手首装着型携帯端末の端末本体に当たっても、端末本体がスライド基部上をスライドすることができないため、手の甲や手首を痛めたりする可能性があるという欠点があった。
【先行技術文献】
【特許文献】
【０００４】
【特許文献１】特開２００４−３０１８００号公報
【発明の概要】
【発明が解決しようとする課題】
【０００５】  本発明は、上記の従来技術の欠点を解決するもので、表示部が横長の手首装着型携帯端末を手首に装着して手を手の甲の側に曲げて、手の甲が手首装着型携帯端末の端末本体に当たっても、手の甲や手首を痛めたりする恐れを無くした手首装着型携帯端末を提供することを目的としている。
【課題を解決するための手段】
【０００６】  上記目的を達成するため、請求項１に記載の発明は、各種の情報を表示するための表示部を有する端末本体と、前記端末本体を手首に装着可能にする手首装着部と、前記端末本体を前記手首装着部の向きに付勢する弾性体と、で手首装着型携帯端末を構成している。【０００７】  また、請求項２に記載の発明は、請求項１に記載の発明において、前記弾性体は、前記端末本体の長手方向に設けられた接続部および前記手首装着部の短手方向に設けられた接続部に両端部が接続されている。
【発明の効果】
【０００８】  上記の説明から明らかなように、請求項１に記載の手首装着型携帯端末は、各種の情報を表示するための表示部を有する端末本体と、端末本体を手首に装着可能にする手首装着部と、端末本体を手首装着部の向きに付勢する弾性体と、で構成されているので、表示部が横長の手首装着型携帯端末を手首に装着して手を手の甲の側に曲げて、手の甲が手首装着型携帯端末の端末本体に当たっても、手の甲や手首を痛めたりする恐れを無くすことができる。【０００９】  また、請求項２に記載の手首装着型携帯端末は、請求項１に記載の発明において、弾性体は、端末本体の長手方向に設けられた接続部および手首装着部の短手方向に設けられた接続部に両端部が接続されているので、上記と同様の効果を、さらに確実に得ることができる。
【図面の簡単な説明】
【００１０】
【図１】本発明を実施するための第１の最良の形態の構成を示す上面図である。
【図２】図１の第１の最良の形態の構成を示す左側面図である。
【図３】図２のＡ−Ａ矢視の第１の最良の形態の構成を示す部分断面側面図である。
【図４】図３の第１の最良の形態の作用を示す部分断面側面図である。
【図５】本発明を実施するための第２の最良の形態の構成を示す部分断面上面図である。
【図６】図５の第２の最良の形態の構成を示す左側面図である。
【図７】図６のＢ−Ｂ矢視の第２の最良の形態の構成を示す部分断面側面図である。
【図８】図５の第２の最良の形態の構成を示す上側面図である。
【図９】図７の第２の最良の形態の作用を示す部分断面側面図である。
【図１０】本発明を実施するための第３の最良の形態の構成を示す上面図である。
【図１１】図１０の第３の最良の形態の構成を示す左側面図である。
【図１２】図１１のＣ−Ｃ矢視の第３の最良の形態の構成を示す部分断面側面図である。
【図１３】図１２の第３の最良の形態の作用を示す部分断面側面図である。
【発明を実施するための形態】
【００１１】  以下、本発明の最良の形態を図に基づいて説明する。
【実施例１】
【００１２】  本発明の実施例１を、図１と図２と図３と図４に基づいて説明する。図１ないし図４に示すように手首装着型携帯端末１は、端末本体２の表面２１に設けられた静止画や動画を表示する表示部３と、左手首４１に装着可能でコの字状に形成された第一手首装着部５１および第一手首装着部５１に回動自在に支持された第二手首装着部５２から成る手首装着部５と、端末本体２の長手方向の裏面２２に設けられた接続部２３および手首装着部５の短手方向の裏面５３に設けられた接続部５４に両端部６１１が図示しないねじなどで接続され端末本体２を手首装着部５の向きに付勢する弾性体としての断面が略Ｕ字状の板ばね６１を備えている。また、図示しない二次電池パックは端末本体２に内蔵されている。【００１３】  上記のように構成することで、手首装着部５を左手首４１に装着して、図示しない手を手の甲４２の側に曲げて、手の甲４２が端末本体２の端部２４に当たっても、板ばね６１が変形して端末本体２が手の甲４２の上を移動するため、手の甲４２や左手首４１を痛めたりする恐れを無くすことができる。【００１４】  また、端末本体２の一部２５が略コの字状の空間に挿入できるため、端末本体２の容積を大きくすることができると共に、左手首４１に接触する端末本体２の裏面２２の近傍に図示しないセンサを設けることで、脈拍などの生体情報を得ることもできる。【００１５】  また、端末本体２は受話部７１と、送話部７２と、アウトカメラ７３と、インカメラ７４と、電源ボタン７５を備えている。【００１６】  上記のように構成することで、手首装着部５を左手首４１に装着した状態で、手首装着型携帯端末１はスマートフォンと同等以上の機能を発揮することもできる。受話部７１を図示しない顔の右側の耳の近傍に移動させることで、手首装着型携帯端末１は左手首４１に装着したまま電話を送受話することもできる。【００１７】  板バネ６１の中間部６１２の形状を波型にすると、手首装着部５を左手首４１に装着して図示しない手を手の甲４２の側に曲げた時に、中間部６１２に掛かる応力が小さくなるため、板バネ６１の寿命を長くすることもできる。
【実施例２】
【００１８】  実施例１と同一または同等の構成要素、部材などには同一の符号を付し、適宜重複した説明は省略する。以下、実施例２の特徴部分を中心に説明する。【００１９】  本発明の実施例２を、図５と図６と図７と図８と図９に基づいて説明する。図５ないし図９に示すように手首装着型携帯端末１は、端末本体２の表面２１に設けられた表示部３と、左手首４１に装着可能でコの字状に形成された第一手首装着部５１および第二手首装着部５２から成る手首装着部５と、端末本体２の長手方向の側面２６に設けられた部材２７と、手首装着部５の短手方向の部材５５に設けられた部材５６と、部材２７または部材５６に固着された軸８と、軸８に巻き付けられ側面２６に設けられた接続部２８および部材５６に設けられた接続部５７に両端部６２１が接続され端末本体２を手首装着部５の向きに付勢する弾性体としての、つるまきばね６２を備えている。【００２０】  上記のように構成することで、手首装着型携帯端末１を左手首４１に装着して図示しない手を手の甲４２の側に曲げて、手の甲４２が端末本体２の端部２４に当たっても、つるまきばね６２が変形して端末本体２が手の甲４２の上を移動するため、手の甲４２や左手首４１を痛めたりする恐れを無くすことができる。【００２１】  実施例２では弾性体として、つるまきばね６２を採用しているため、手首装着部５を左手首４１に装着して、図示しない手を手の甲４２の側に曲げた時に、つるまきばね６２の各部に掛かる応力は小さくなるため、実施例１の板バネ６１より、つるまきばね６２の寿命を長くすることもできる。【００２２】  また、端末本体２は受話部７１と、送話部７２と、アウトカメラ７３と、インカメラ７４と、電源ボタン７５を備えている。【００２３】  上記のように構成することで、手首装着部５を左手首４１に装着した状態で、手首装着型携帯端末１はスマートフォンと同等以上の機能を発揮することもできる。受話部７１を図示しない顔の左側の耳の近傍に移動させることで、手首装着型携帯端末１は左手首４１に装着したまま、実施例１よりも楽な姿勢で電話を送受話することもできる。
【実施例３】
【００２４】  実施例１および実施例２と、同一または同等の構成要素、部材などには同一の符号を付し、適宜重複した説明は省略する。以下、実施例３の特徴部分を中心に説明する。【００２５】  本発明の実施例３を、図１０と図１１と図１２と図１３に基づいて説明する。図１０ないし図１３に示すように手首装着型携帯端末１は、端末本体２の表面２１に設けられた表示部３と、端末本体２の裏面２２に設けられた凸部２９と、左手首４１に装着可能で内部に凸部２９に接触しない穴９が設けられロの字状に形成された第一手首装着部５１および第二手首装着部５２から成る手首装着部５と、端末本体２の長手方向の裏面２２に設けられた接続部２３および手首装着部５の短手方向の表面５８に設けられた接続部５４に両端部６３１が接続され端末本体２を手首装着部５の向きに付勢する弾性体としての中間部６３２の断面が略円弧状の板ばね６３を備えている。【００２６】  上記のように構成することで、手首装着部５を左手首４１に装着して図示しない手を手の甲４２の側に曲げて、手の甲４２が端末本体２の端部２４に当たっても、板ばね６３が変形して端末本体２が手の甲４２の上を移動するため、手の甲４２や左手首４１を痛めたりする恐れを無くすことができる。【００２７】  また、中間部６３２の断面が略円弧状の板ばね６３を採用しているため、手首装着部５を左手首４１に装着して、図示しない手を手の甲４２の側に曲げた時に、中間部６３２に掛かる応力は小さくなるため、実施例１の板バネ６１より板バネ６３の寿命を長くすることもできる。【００２８】  また、端末本体２の凸部２９が穴９に挿入できるため、端末本体２の容積を大きくすることができると共に、左手首４１に接触する凸部２９の近傍に図示しないセンサを設けることで、脈拍などの生体情報を得ることもできる。【００２９】  本発明の範囲内で、任意に変形や応用が可能である。例えば、手首装着型携帯端末は左手首装着用だけでなく、右手首装着用の端末を製作しても良い。また、弾性体は非金属のゴムなどで製作しても良い。また、第一手首装着部と第二手首装着部を一体化して二次電池パックは第二手首装着部に内蔵しても良い。また、受話部と送話部は第二手首装着部に設けても良い。また、音声認識ソフトウェアを使用して、送話部から入力された音声による文字入力が、できるようにしても良い。
【産業上の利用可能性】
【００３０】  本発明は、手首装着型携帯端末を製造する産業で利用される。
【符号の説明】
【００３１】    １                    手首装着型携帯端末
２                    端末本体
３                    表示部
５                    手首装着部
８                    軸
９                    穴
２１、５８              表面
２２、５３              裏面
２３、５４、２８、５７  接続部
２４                    端部
２５                    一部
２６                    側面
２７、５５、５６        部材
２９                    凸部
４１                    左手首
４２                    手の甲
５１                    第一手首装着部
５２                    第二手首装着部
６１、６３              板ばね
６２                    つるまきばね
７１                    受話部
７２                    送話部
７３                    アウトカメラ
７４                    インカメラ
７５                    電源ボタン
６１１、６２１、６３１    両端部
６１２、６３２            中間部
【図１】
2017216666.tif 000003
【図２】
2017216666.tif 000004
【図３】
2017216666.tif 000005
【図４】
2017216666.tif 000006
【図５】
2017216666.tif 000007
【図６】
2017216666.tif 000008
【図７】
2017216666.tif 000009
【図８】
2017216666.tif 000010
【図９】
2017216666.tif 000011
【図１０】
2017216666.tif 000012
【図１１】
2017216666.tif 000013
【図１２】
2017216666.tif 000014
【図１３】
2017216666.tif 000015